(57)【要約】【課題】ゴミを確実に捕集袋内部に捕集することができると共に、作業効率の向上を図った捕集袋を提供する。【解決手段】捕集袋１０は、その内周面に設けられた取着部材１４を介して街路灯５０のグローブ５６の下端外周面に取り付けられる。街路灯５０のグローブ５６が開いたときに、袋本体１２の開口部１６の開口端縁１６ａの内側にグローブ５６の下端部５６ａが位置する。グローブ５６から掃き出されるゴミは確実に袋本体１２の内部に収容される。【選択図】図３
2009001411.tif 000002
【特許請求の範囲】
【請求項１】
光源を収容する本体とこの本体に着脱自在に取り付けられたカバー部材とを有する照明装置から排出される排出物を収容するための捕集袋であって、
前記排出物が投入される開口部を有する袋本体と、
前記袋本体の内周面に設けられ、前記袋本体を前記照明装置の前記カバー部材の外周面に着脱自在に取り付け、前記本体から前記カバー部材が開いたときに前記照明装置のカバー部材の少なくとも下端部を前記袋本体の前記開口部の開口端縁の内側に位置させるための取着部材と
を備えることを特徴とする捕集袋。
【請求項２】
前記袋本体を前記照明装置の前記本体に着脱自在に取り付けるための取付部材をさらに有し、
前記取付部材の一端部が前記照明装置の前記本体に取り付けられると共に、前記取付部材の他端部が前記袋本体に取り付けられる
ことを特徴とする請求項１に記載の捕集袋。
【請求項３】
前記取付部材は、前記袋本体の側面部に穿設された少なくとも２個の挿通孔と、前記２個の挿通孔のそれぞれに挿通される環状の取り付け紐からなり、
前記紐の一端側が前記照明装置の前記本体に取り付けられると共に、前記紐の他端側が前記挿通孔のそれぞれに挿通されて取り付けられる
ことを特徴とする請求項２に記載の捕集袋。
【請求項４】
前記紐には、その長手方向の長さを調節するための調節部材が取り付けられ、
前記調節部材を用いて、前記カバー部材を前記袋本体に締め付け固定できるようにした
ことを特徴とする請求項３に記載の捕集袋。
【発明の詳細な説明】
【技術分野】
【０００１】
本願発明は捕集袋に関する。詳細には、電柱および建物側部の照明装置である街路灯のカバー部材の外周面に袋本体の内周面の取着部材を取り付けると共に、カバー部材から袋本体が外れないような補助紐を取り付けることで、街路灯のカバー部材を開けたときに袋本体の開口部の開口端縁の内側にカバー部材の少なくとも下端部を位置させながら、カバー部材から掃き出されるゴミを確実に袋本体の内部に収容できる捕集袋に関する。
【背景技術】
【０００２】
街路に設置された電柱および建物側部には、夜間の通行などの防犯上の安全性を確保することを目的として、街路灯（防犯灯）が取り付けられている。街路灯は、蛍光灯などのランプを収容する本体と、この本体を覆う透明部材からなるグローブ（カバー部材）とを備えている。蛍光灯などのランプは使用により寿命がくると消灯（点滅）するため、ランプが消灯してしまった場合には新しい別のランプに交換する必要がある。このランプの交換時にグローブを本体から取り外すと、本体およびグローブの内部には虫などのゴミが堆積、付着していることが多い。これは、蛍光灯から発光される光の波長によって虫が街路灯に寄せ付けられ、寄せ付けられた虫が本体とグローブとの隙間から内部に侵入し、その後死骸となって街路灯内部にゴミとして残ってしまうからである。このような虫などのゴミをそのまま放置した場合には蛍光灯の照度を下げる原因となるため、ランプの交換と同時に取り除く必要がある。
【０００３】
一般的な街路灯は、電柱および建物側部の高所、例えば地面から５ｍ程度の位置に取り付けられることが多いため、街路灯の清掃作業も高所で行われることになる。そこで、電柱等に取り付けられた街路灯の清掃を簡易な方法により行える街路灯昇降装置が提案されている（特許文献１参照）。この街路灯昇降装置は、電柱等に昇降体を取り付け、この昇降体に電灯を取り付け、昇降体を昇降させる昇降機構を備えており、この昇降機構の昇降体を電柱あるいは建物側部に沿って作業者の手の届く位置まで引き下げることで、電灯の交換や清掃が行われる。
【０００４】
【特許文献１】実開平０５−６６８１４号公報
【発明の開示】
【発明が解決しようとする課題】
【０００５】
ところで、上記特許文献１に開示される街路灯昇降装置では、街路灯昇降装置を作業者の手の届く位置まで電球を下降させて、街路灯のカバー部材を外して蛍光灯を交換した後、清掃作業を行う。清掃作業では、一般に一方の手で街路灯内部から死骸などのゴミを掃き出す清掃用具を持ち、他方の手で掃き出したゴミを収容する捕集袋を持って行うため、ゴミの掃き出しと捕集袋の保持（ゴミが掃き出される位置に捕集袋の袋口を保持）との両作業を同時に行わなければならず、ゴミを確実に捕集袋の内部に収容できない場合もある。
【０００６】
また、上述した装置を用いずに清掃作業を行う場合には、電柱に設置されている場合は、電気知識・技能を有した作業員がゴミ袋を持って電柱に登り、上述したように一方の手で清掃用具を持ち、他方の手で捕集袋を持ちながら清掃作業が行われる。そのため、電柱に登って不安定な体勢（姿勢）で清掃作業を行わなければならず、街路灯から掃き出したゴミを確実に捕集袋の内部に収容できずに、ゴミが落下してしまうという場合がある。従って、高所においても安定した体勢によって、簡易かつ確実に街路灯の清掃作業が行えるような捕集袋が望まれる。
【０００７】
建物の側部に設置されている場合については，電気知識・技能を有しない一般の人間が梯子を設置し，一方の手でゴミ袋と清掃用具を持ち、他方の手で捕集袋を持ちながら清掃作業が行われる。そのため、さらに不安定な体勢（姿勢）で清掃作業を行わなければならず、街路灯から掃き出したゴミを確実に捕集袋の内部に収容できずに、ゴミが落下してしまうという場合がある。従って、高所においても安定した体勢によって、簡易かつ確実に街路灯の清掃作業が行えるような捕集袋が、さらに望まれる。
【０００８】
そこで、本願発明は、上記課題に鑑みてなされたものであり、その目的は、ゴミを簡易かつ確実に捕集袋内部に捕集できる捕集袋を提供するものである。
【課題を解決するための手段】
【０００９】
本願発明の捕集袋は、上記課題を解決するために、光源を収容する本体とこの本体に着脱自在に取り付けられたカバー部材とを有する照明装置に堆積した排出物を収容するための捕集袋であって、前記排出物が投入される開口部を有する袋本体と、前記袋本体の内周面に設けられ、前記袋本体を前記照明装置に着脱自在に取り付けるための取着部材と、脱落防止用の取り付け紐とを備えたことを特徴とする。
【００１０】
本願発明の袋本体は、その内周面の取着部材を介して照明装置のカバー部材の外周面に取り付けられる。そのため、照明装置のカバー部材を開いたときでも、袋本体がカバー部材に取り付けられた状態が維持され、作業者が袋本体を保持しなくても落下することはない。これにより、作業者は袋本体を保持する必要がなくなり、安定した体勢でカバー部材の清掃作業やランプの交換作業を行うことができる。同時に、脱落防止用の紐が照明装置の先端部に取り付けられる。
【００１１】
また、カバー部材が開いたときに袋本体の開口部の開口端縁の内側にカバー部材の少なくとも下端部が位置するため、カバー部材内部に堆積、付着している虫などのゴミを掃き出す場合に、その掃き出す方向に袋本体の開口部が位置することになる。これにより、カバー部材から掃き出したゴミが確実に袋本体の開口部を介して袋本体内部に収容される。取着部材としては、交換可能な両面接着剤が使用される。
【００１２】
なお、本願発明で使用される照明装置としては、例えば電柱や建物側部（地上から４ｍ程度）の高所に取り付けられる街路灯（外灯）である。また、街路灯に収容される光源としては蛍光灯や電球などが用いられる。
【発明の効果】
【００１３】
本願発明によれば、袋本体の開口部内面に、照明装置に対する取着部材を設けたので、照明装置のカバー部材が開いたときに袋本体の開口部の開口端縁の内側に、カバー部材の下端部を簡単に位置させることができるようになり、これによってカバー部材から掃き出されたゴミを確実に袋本体の内部に収容することができる。
【発明を実施するための最良の形態】
【００１４】
［第１の実施の形態］
以下、本発明の実施形態につき、図面を参照して説明する。なお、以下の説明に用いる各図面では、各部材を認識可能な大きさとするため、各部材の縮尺を適宜変更している。
【００１５】
本発明に係る捕集袋１０の説明の便宜上、まず街路灯５０の構成を図２を参照して説明する。
図２に示すように、街路灯（照明装置）５０は、図示しない蛍光灯（光源）が取り付けられる本体５２と、この本体５２を被覆するグローブ（カバー部材）５６とを有する。本体５２として、この例では一方側が開口された船型形状からなり、グローブ５６はこの本体５２との対向側が開口され、本体５２全体を覆うような透明部材からなる船型形状で構成される。グローブ５６の下端部５６ａには取付ねじ５８が設けられており、本体５２の下端に設けられた図示しないねじ孔に螺合されると共に、グローブ５６の先端が本体５２に係止されることで、グローブ５６が本体５２に着脱自在に取り付けられる。
【００１６】
また、グローブ５６の先端部は本体５２の先端部と落下防止用の仮吊りワイヤー６４（図３参照）により接続されており、グローブ５６の取付ねじ５８を緩めてグローブ５６を本体５２から取り外したとしても、仮吊りワイヤー６４によりグローブ５６が本体５２に吊り下げされた状態で支持される。本体５２およびグローブ５６のそれぞれの開口端縁には鍔部５４，６０が形成され、この鍔部５４，６０間には虫除け用の図示しない防虫パッキン部材が介挿される。本体５２の基端部上面にはアーム６６が取り付けられ、このアーム６６が取付バンド６８を介して電柱７０に締め付けられることで、街路灯５０が電柱７０の所定位置に取り付け、固定される。
【００１７】
次に、本発明に係る捕集袋１０の構成について説明する。図１は、本発明の一実施形態に係る捕集袋１０の構成を示す斜視図である。
【００１８】
捕集袋１０は、電柱７０に取り付けられた街路灯５０から排出されるゴミ、例えば虫などの死骸を収容するためのゴミ袋として主として使用されるものである。図１に示すように、捕集袋１０は、ゴミが収容される袋本体１２と、この袋本体１２を街路灯５０に着脱自在に取り付けるための取着部材１４とを有する。
【００１９】
袋本体１２は、この例では断面略四角形の有底筒形状であって、その上端部にはゴミが投入される開口部１６が形成される。この袋本体１２は、例えば、ポリエチレン等の合成樹脂からなる樹脂フィルムを成形し、この樹脂フィルムを所定の寸法に切断した後、必要な部分を融着、接着、または縫合することにより形成することができる。袋本体１２は透明、半透明、不透明の何れであっても良い。袋本体１２の高さ方向Ｈの長さは、街路灯５０のグローブ５６が落下したときにグローブ５６を落下させずに収容可能な程度の長さに選定され、本例ではグローブ５６の長手方向の略半分以上の長さで設定される。また、袋本体１２の幅方向Ｗおよび奥行き方向Ｄの長さは、グローブ５６の内部から排出されるゴミを漏れなく収容できるように、少なくともグローブ５６の幅方向および奥行き方向の長さよりも長く選定される。
【００２０】
取着部材１４は例えば両面粘着テープであり、その一面側が袋本体１２の側面部１２ａの上部内周面に貼り付けられる。取着部材１４は、袋本体１２を街路灯５０に貼り付けたときに、ゴミの重量や袋本体１２の自重により落下しないような接着面積を有することが好ましい。取着部材１４は、両面接着テープが使用されているために交換が可能である。そのため、一度あるいは数度使用した後は新しい両面接着テープに交換することで常に十分な接着強度を保持することができる。
【００２１】
また、捕集袋１０は、袋本体１２を街路灯５０に着脱自在に取り付けるための取付部材２４をさらに有する。取付部材２４は、袋本体１２に穿設された挿通孔１８とこの挿通孔１８に挿通される取り付け紐２０とで構成される。
【００２２】
挿通孔１８は、袋本体１２の側面部１２ａの取着部材１４が貼り付けられた位置よりも若干下方に穿設される。本例では、円形状をなす２個の挿通孔１８，１８が水平方向に沿って所定間隔を隔てて設けられる。
【００２３】
取り付け紐２０は、脱落防止用であって、街路灯５０の先端部に引っ掛けて使用される（図２参照）。この取り付け紐２０は、挿通孔１８，１８のそれぞれに挿通されてその一端部と他端部とが結び付けられて環状に構成される。この環状の取り付け紐２０の長さは、袋本体１２と街路灯５０とをある程度張った状態で接続するために、街路灯５０の長手方向の長さよりも若干長く選定される。
【００２４】
袋本体１２の外側の取り付け紐２０には、輪の全長（大きさ）を調整するための調節部材の一例であるアジャスター２２が取り付けられている。アジャスター２２は、例えば円筒状をなし、その内部に環状の取り付け紐２０の一端と他端を当接させた状態で保持し、この状態で取り付け紐２０の長さ方向（矢印方向）に沿ってスライド移動することで、輪の全長（大きさ）を調節する。
【００２５】
次に、上述した捕集袋１０を用いて、電柱７０に取り付けられた街路灯５０から掃き出されたゴミを収容する場合の使用例について説明する。
【００２６】
図２は、街路灯５０に捕集袋１０を取り付けた状態を示す図である。図３は、街路灯５０のグローブ５６を本体５２から取り外したときの捕集袋１０の状態を示す図であり、図４は、街路灯５０のグローブ５６に貼り付けられた捕集袋１０を示す斜視図である。図５は、袋本体１２の開口部１６を取り付け紐２０で縛り付けた状態を示す斜視図である。
【００２７】
街路灯５０のランプが消灯または点滅した場合にはランプを交換すると共に、街路灯５０の本体５２やグローブ５６の内部に溜まったゴミを取り除く清掃作業も同時に行う。作業者は、電柱７０の街路灯５０が設置された位置まで本例の捕集袋１０を持って登り、図２に示すように、捕集袋１０の取り付け紐２０の上端２０ａを街路灯５０の本体５２の上端側の端縁部に位置する鍔部５４に引っ掛けると共に、捕集袋１０の内周面の取着部材１４を街路灯５０のグローブ５６の下端部５６ａ外周面に貼り付ける。このとき、袋本体１２の内側の取り付け紐２０は、グローブ５６の背面側に配置される。
【００２８】
続けて、グローブ５６の取付ねじ５８を緩めてグローブ５６を本体５２から取り外すと、グローブ５６は、図３に示すように、その先端部が仮吊りワイヤー６４により街路灯５０の本体５２に吊り下げられた状態となる。このとき、街路灯５０内部に堆積等したゴミが外部に落下する場合があるため、グローブ５６の下端部５６ａを捕集袋１０の開口部１６の開口端縁１６ａの内側に位置させ、その下端部５６ａが捕集袋１０によって囲まれるように、捕集袋１０の開口部１６を十分に開口させておくことが好ましい。なお、捕集袋１０の取付時には電柱７０が障害となり袋本体１２の形状が変形してしまう場合もあるが、このときにも、グローブ５６を取り外してスペースを確保した後に、グローブ５６の下端部５６ａを捕集袋１０の内部に挿入された状態とすれば良い。
【００２９】
グローブ５６を本体５２から取り外した後、図４に示すように、袋本体１２の内側のグローブ５６背面側に位置する取り付け紐２０を、グローブ５６前面側に配置してグローブ５６の下端部５６ａを取り付け紐２０で周回させる。そして、袋本体１２の外側の取り付け紐２０に取り付けられたアジャスター２２を袋本体１２側（矢印方向）に移動させて、グローブ５６の下端部５６ａを袋本体１２に締め付けることで、グローブ５６を袋本体１２の内側に固定させる。
【００３０】
この状態で、グローブ５６の内周面に堆積、付着したゴミをグローブ５６の上から下に向かってほうき（図示省略）などの清掃器具で捕集袋１０内部に掃き出す。本例では、この掃き出し方向Ｅの延長線上に袋本体１２の開口部１６が位置するため、グローブ５６から掃き出されたゴミは袋本体１２の外側に外れることがなく、袋本体１２の内部に収容される。
【００３１】
グローブ５６の内部の清掃作業が終了した後、取り付け紐２０の上端２０ａ側を街路灯５０の本体５２の鍔部５４から取り外すと共に、アジャスター２２を緩めてグローブ５６の下端部５６ａを袋本体１２から開放する。そして、取着部材１４によりグローブ５６に貼り付けられた袋本体１２をグローブ５６から剥がして、ゴミが収容された捕集袋１０を地面に下ろす。最後に、図５に示すように、街路灯５０に捕集袋１０を引っ掛ける際に使用した取り付け紐２０を用いて、袋本体１２の上端部を巻回して縛り付けることで捕集袋１０の開口部１６を封止する。
【００３２】
以上説明したように、本実施の形態によれば、捕集袋１０が取着部材１４を介して街路灯５０に取り付けられるため、作業者は袋本体１２を保持する必要がなくなり、安定した体勢でグローブ５６の清掃作業やランプの交換作業を行うことができる。
【００３３】
また、街路灯５０のグローブ５６が開いたときに、袋本体１２の開口部１６の内側にグローブ５６の下端部５６ａが位置するため、グローブ５６から掃き出されたゴミを確実に袋本体１２の内部に収容することができる。これにより、虫の死骸などのゴミの落下を防止でき、下方を通過する通行人や車両または住宅等へのゴミの降り注ぎを防止できる。
【００３４】
また、捕集袋１０の取り付け紐２０の上端２０ａを街路灯５０の本体５２の上端側の端縁部に位置する鍔部５４に引っ掛けるため、仮吊りワイヤー６４が経年劣化により切断されたとしても、グローブ５６が捕集袋１０によって支持され、落下することはない。これにより、グローブ５６の落下による破損を防止できる。
【００３５】
さらに、グローブ５６は、取り付け紐２０によって袋本体１２に締め付けられて所定位置に固定されるため、仮吊りワイヤー６４によって吊り下げされたグローブ５６の揺動が抑えられ、清掃作業を円滑に行うことができる。取着部材１４は必要に応じて適宜なタイミングに交換する。
【００３６】
［第２の実施の形態］
以下、本発明の実施形態につき、図面を参照して説明する。なお、街路灯５０、捕集袋１０等の構成は、上述した第１の実施の形態と同一であるため、共通の構成要素には同一の符号を付し、詳細な説明は省略する。
【００３７】
図６（Ａ）および図６（Ｂ）は、建物１００に取り付けられた街路灯５０のゴミを本発明に係る捕集袋１０を用いて収容する場合の説明図である。建物１００は、図６（Ａ）および図６（Ｂ）に示すように、例えば一戸建ての住宅であり、本例では二階建ての住宅を示す。建物１００は木造住宅および鉄筋コンクリート住宅の何れであっても良い。建物１００の外壁面には、アーム６６を介して街路灯５０が取り付けられている。街路灯５０は、建物１００の外壁面の例えば４ｍ程度の位置に取り付けられる。
【００３８】
街路灯５０のランプが消灯または点滅した場合にはランプを交換すると共に、街路灯５０の内部に溜まったゴミを取り除く清掃作業も同時に行う。作業者は、街路灯５０が取り付けられた建物１００の外壁面に例えば梯子を設置し、街路灯５０が取り付けられた位置まで本例の捕集袋１０を持って登り、図６（Ａ）および図６（Ｂ）に示すように、捕集袋１０を街路灯５０に取り付けて、街路灯５０内部の清掃作業を行う。
【００３９】
本実施の形態によれば、建物１００に取り付けられた街路灯５０に対しても、上述した第１の実施の形態と同様に、ゴミを落下させることなく、ゴミを確実に捕集袋１０の内部に収容することができる。
【００４０】
なお、本発明の技術範囲は、上述した実施形態に限定されるものではなく、本発明の趣旨を逸脱しない範囲において、上述した実施形態に種々の変更を加えたものを含む。
【００４１】
例えば、上述した実施の形態では、捕集袋１０の形状を断面矩形状をなす筒状としたが、断面円形状や楕円形状などの筒状で構成しても良い。また、捕集袋１０は樹脂材料に代えて紙などの材料で形成しても良い。
【００４２】
また、取り付け紐２０の上端２０ａを鍔部５４に引っ掛ける代わりに、取り付け紐２０の上端２０ａ側に粘着テープなどの貼り付け手段を設けることで、取り付け紐２０の上端２０ａ側を街路灯５０の本体５２に貼りつけても良い。
【００４３】
さらに、街路灯５０のグローブ５６は、上述した落下防止用の仮吊りワイヤー６４に代えて、ヒンジ部を設けて本体５２に着脱自在に取り付けるような構成としても良い。
【産業上の利用可能性】
【００４４】
本発明は、電柱や建物側部に取り付けられた街路灯内部のゴミを収容するための捕集袋として好適に適用できる。
【図面の簡単な説明】
【００４５】
【図１】本発明の一実施形態に係る捕集袋の構成を示す斜視図である。
【図２】電柱に取り付けられた街路灯に捕集袋を取り付けた状態を示す図である（その１）。
【図３】電柱に取り付けられた街路灯に捕集袋を取り付けた状態を示す図である（その２）。
【図４】街路灯のグローブに取り付けられた捕集袋を示す斜視図である。
【図５】袋本体の開口部を紐により縛った状態を示す斜視図である。
【図６】建物に取り付けられた街路灯に捕集袋を取り付けた状態を示す図である。
【符号の説明】
【００４６】
１０…捕集袋、  １２…袋本体、  １４…取着部材、  １６…開口部、  １８…挿通孔、  ２０…取り付け紐、  ２２…アジャスター、  ２４…取付部材、  ５０…街路灯、  ５２…本体、  ５６…グローブ、  ５６ａ…下端部、  ７０…電柱
【図１】
2009001411.tif 000003
【図２】
2009001411.tif 000004
【図３】
2009001411.tif 000005
【図４】
2009001411.tif 000006
【図５】
2009001411.tif 000007
【図６】
2009001411.tif 000008